(57)【要約】【課題】放射線測定データの記録ミスが防止され、正しい地点で放射線測定を行うことができる移動式放射線屋外測定システムを提供すること。【解決手段】車両に搭載された移動局（移動手段）１と、移動局から送信されたデータを受信する監視センタ（基地局）２と、を含んで構成されている。移動局１には、放射線検出器３と、ＧＰＳ受信ユニット４と、インターフェイスユニット５と、パソコン（情報処理端末）６と、データ送信ユニット７が少なくとも搭載されている。監視センタ２は、データ受信ユニット８と、パソコン（情報処理端末）９を少なくとも有している。【選択図】図１
2004205375.tif 000002
【特許請求の範囲】
【請求項１】
放射線検出器と、
少なくとも前記放射線検出器を搭載して移動する移動手段と、
前記移動手段上に搭載され、少なくとも緯度及び経度に関する情報を含む位置情報を受信する位置情報受信ユニットと、
前記移動手段上に搭載され、前記放射線検出器及び前記位置情報受信ユニットに接続され、放射線測定時、前記放射線検出器が出力する放射線検出信号と前記位置情報受信ユニットが出力する位置情報とを受信して、放射線検出情報と放射線測定箇所情報とを関連付けた情報を作成する情報処理端末と、
前記情報処理端末が作成した情報を送信するデータ送信ユニットと、
を有することを特徴とする移動式放射線屋外測定システム。
【発明の詳細な説明】
【０００１】
【発明の属する技術分野】
本発明は、移動式放射線屋外測定システムに関する。
【０００２】
【従来の技術】
従来、屋外の所定測定ポイントで放射線を測定する場合、放射線検出器を所持した検査員が、携帯電話等の移動端末を用いて、監視センタに放射線測定データを口頭で連絡している。
【０００３】
また、非特許文献１には、「放射線測定器から人手（目視、記入）を介さず測定器か直接放射線サーベイデータを自動作成できるものとした」放射線管理サーベイデータ作成システムが提案されている。
【０００４】
【非特許文献１】
「放射線管理サーベイデータ作成システムの開発」、2001年9月19〜21日、北海道大学、日本原子力学会「2001年秋の大会」予稿集、第１分冊（総論、放射線光学と加速器・ビーム化学、核融合光学、保健物理と環境科学）、５４頁
【０００５】
【発明が解決しようとする課題】
しかしながら、口頭により放射線測定データを連絡する場合、データの転記ミス等が発生するおそれがある。また、正しい測定ポイント以外の地点で、放射線測定が行われるおそれがある。
【０００６】
本発明の目的は、放射線測定データの記録ミスが防止され、正しい地点で放射線測定を行うことができる移動式放射線屋外測定システムを提供することである。
【０００７】
【課題を解決するための手段】
本発明は、第１の視点において、放射線検出器と、少なくとも前記放射線検出器を搭載して移動する移動手段と、前記移動手段上に搭載され、少なくとも緯度及び経度に関する情報を含む位置情報を受信する位置情報受信ユニットと、前記移動手段上に搭載され、前記放射線検出器及び前記位置情報受信ユニットに接続され、放射線測定時、前記放射線検出器が出力する放射線検出信号と前記位置情報受信ユニットが出力する位置情報とを受信して、放射線検出情報と放射線測定箇所情報とを関連付けた情報を作成する情報処理端末と、前記情報処理端末が作成した情報を送信するデータ送信ユニットと、を有する移動式放射線屋外測定システムを提供する。
【０００８】
本発明の移動式放射線屋外測定システムによれば、放射線測定データを自動的に送信することができ、さらに、ＧＰＳ等の位置情報を利用して、移動局側又は監視センタ側で、正しい地点で測定が実行されたか否かを判断することができる。したがって、本発明の移動式放射線屋外測定システムによれば、放射線測定データの記録ミスが防止され、正しい地点で放射線測定を行うことができる。
【０００９】
【発明の実施の形態】
本発明の好ましい実施の形態においては、移動手段として、車両が用いられ、該車両に放射線検出器等が搭載される。
【００１０】
本発明の好ましい実施の形態においては、位置情報として、ＧＰＳが用いられる。
【００１１】
【実施例】
図１は、本発明の一実施例に係る移動式放射線屋外測定システムの構成を説明するための図である。
【００１２】
図１を参照すると、このシステムは、車両に搭載された移動局（移動手段）１と、移動局から送信されたデータを受信する監視センタ（基地局）２と、を含んで構成されている。移動局１には、放射線検出器３と、ＧＰＳ受信ユニット４と、インターフェイスユニット５と、パソコン（情報処理端末）６と、データ送信ユニット７が少なくとも搭載されている。監視センタ２は、データ受信ユニット８と、パソコン（情報処理端末）９を少なくとも有している。
【００１３】
ＧＰＳ受信ユニット４は、複数の衛星から送信される、少なくとも緯度及び経度に関するＧＰＳ位置情報を受信する。、ＧＰＳ位置情報は、ＧＰＳ受信ユニット４に接続されたインターフェイスユニット５を介して、パソコン６に入力される。
【００１４】
放射線検出器３が検出したデータは、放射線検出器３に接続されたインターフェイスユニット５を介して、パソコン６に入力される。
【００１５】
パソコン６は、放射線測定時、放射線検出器３が出力する放射線検出信号とＧＰＳ受信ユニット４が出力する位置情報とを受信して、放射線検出情報と放射線測定箇所情報とを関連付けた情報を作成して出力する。パソコン６は、放射線検出情報と放射線測定箇所情報に基づいて、表示画面上に、測定地点近傍の地図を表示し、該地図上に放射線測定データを測定することができ、又、正しい地点で測定が実行されたか否かを判断することができる。データ送信ユニット７は、パソコン６が作成した情報を送信する。
【００１６】
一方、監視センタ２側では、データ受信ユニット８が、データ送信ユニット７から送信された情報を受信して出力する。パソコン９は、データ送信ユニット７から出力された情報を受信して、表示画面上に、測定地点近傍の地図を表示し、該地図上に放射線測定データを測定することができ、又、正しい地点で測定が実行されたか否かを判断することができる。
【００１７】
続いて、移動局側の動作を説明する。図２は、図１に示した移動式放射線屋外測定システムが備える移動局側の動作を説明するための図である。
【００１８】
図２を参照すると、ステップ２０１において、ＧＰＳ受信ユニット４がＧＰＳ位置情報を受信した後、ステップ２０２において、パソコン６が、ＧＰＳ位置情報を送信した衛星が３個以上であるか否かを判定し、位置情報が有効である場合は（ステップ２０３）、ステップ２０５に移行してＧＰＳデータに基づいて表示画面上に地図を表示する。位置情報が無効である場合には（ステップ２０４）、ＧＰＳ位置情報を用いず、ステップ２０６に移行する。
【００１９】
ステップ２０６〜２０７においては、放射線検出器３により検出されたデータをパソコン６が受信し、表示画面ないし前記地図上に線量率を表示する。
【００２０】
ステップ２０８においては、上述の位置情報が有効である場合、ステップ２０９に移行して登録の有無判定が測定員に促され、登録する場合には、ステップ２１０においてデータが保存される。登録しない場合には、処理は、ステップ２０１１に移行する。ステップ２０８において、上述の位置情報が無効である場合、ステップ２１１に移行する。ステップ２１１においては、データ送信を実行するか否かが判定され、送信する場合には、ステップ２１２においてデータ送信ユニット７からデータが送信され、ステップ２１３において一連の動作が終了する。
【００２１】
続いて、監視センタ（親局、基地局）側の動作を説明する。図３は、図１に示した移動式放射線屋外測定システムが備える監視センタ側の動作を説明するための図である。
【００２２】
図３を参照すると、ステップ３０１において、移動局１側のデータ送信ユニット７から送信されたデータを、監視センタ２側のデータ受信ユニット８が受信した場合、パソコン９は、ステップ３０２において、測定データのデータベース作成を実行し、ステップ３０３において、測定地点近傍の地図を表示し、ステップ３０４において放射線測定データの作成を実行し、ステップ３０５において前記地図上に前記測定データを表示する。
【００２３】
以上説明した本発明の一実施例に係る移動式放射線屋外測定システムによれば、放射線測定データの記録ミスが防止され、正しい地点で放射線測定を行うことができる。また、このシステムによれば、放射線測定の自動化が可能となる。
【００２４】
【発明の効果】
本発明によれば、放射線測定データの記録ミスが防止され、正しい地点で放射線測定を行うことができる移動式放射線屋外測定システムが提供される。
【図面の簡単な説明】
【図１】本発明の一実施例に係る移動式放射線屋外測定システムの構成を説明するための図である。
【図２】図１に示した移動式放射線屋外測定システムが備える移動局側の動作を説明するための図である。
【図３】図１に示した移動式放射線屋外測定システムが備える監視センタ（基地局）側の動作を説明するための図である。
【符号の説明】
１  移動局（移動手段）
２  監視センタ（基地局）
３  放射線検出器
４  ＧＰＳ受信ユニット
５  インターフェイスユニット
６  パソコン（情報処理端末）
７  データ送信ユニット
８  データ受信ユニット
９  パソコン
【図１】
2004205375.tif 000003
【図２】
2004205375.tif 000004
【図３】
2004205375.tif 000005